(57)【要約】【課題】ユーザが記録処理の設定を意識することなく、自動的に記録処理を開始する。【解決手段】ドライブレコーダ１は、車両の周囲を撮影するカメラ１１と、車両の加速度を検出して得られる加速度情報を出力する加速度センサ１３と、車両の位置を示す位置情報を取得するＧＰＳモジュール１４と、撮影により得られる映像データを記録する記録部１８と、記録部１８に記録された映像データを表示する表示部１６と、ユーザの操作により各種設定を指示する操作部１５と、カメラ１１からの映像データを記録部１８に記録すると共に、記録部１８に記録された映像データを表示部１６で再生する制御部１０とを備える。制御部１０は、加速度情報に基づき異常を検出した場合に、その時点及び直前の映像データを消去不可能なように保存する。また、記録処理の停止動作が行われた場合に記録処理を停止させ、記録処理の停止動作が終了した場合に記録処理を開始する。【選択図】図３
2014102800.tif 000002
【特許請求の範囲】
【請求項１】
車両の周囲を撮影し、得られる映像データを出力する撮影部と、
前記車両の加速度を検出し、該検出された加速度を示す加速度情報を出力する加速度センサと、
前記車両の位置を示す位置情報を取得する位置情報取得部と、
前記撮影により得られる映像データを記録する記録部と、
前記記録部に記録された映像データを表示する表示部と、
ユーザによって操作され、各種設定を指示する操作部と、
前記撮影部から出力された前記映像データを前記記録部に記録する記録処理を実行すると共に、前記記録部に記録された映像データを前記表示部で再生する再生処理を実行する制御部とを備え、
前記加速度情報に基づき前記車両の異常を検出した場合に、該検出された時点の映像データ及び直前の映像データを消去不可能なように保存するドライブレコーダであって、
前記制御部は、前記記録処理を停止させる動作が行われた場合に前記記録処理を停止させ、前記記録処理を停止させる動作が終了した場合に前記記録処理を開始することを特徴とするドライブレコーダ。
【請求項２】
前記制御部は、時間をカウントするカウンタを有し、
前記記録処理を停止させる動作が行われた場合に、前記カウンタによるカウントを開始し、前記カウンタの値が予め設定された所定値に達した場合に、前記記録処理を開始することを特徴とする請求項１に記載のドライブレコーダ。
【請求項３】
前記記録処理を停止させる動作は、前記再生処理の実行であり、
前記制御部は、前記再生処理が終了した場合に、前記カウンタによるカウントを開始することを特徴とする請求項２に記載のドライブレコーダ。
【請求項４】
前記記録処理を停止させる動作は、前記操作部に対するユーザの操作であり、
前記制御部は、前記操作部が操作された場合に、前記カウンタによるカウントを開始することを特徴とする請求項２に記載のドライブレコーダ。
【請求項５】
前記制御部は、前記カウンタの値が前記所定値に達する前に前記操作部が操作された場合に、前記カウンタのカウントをリセットすることを特徴とする請求項４に記載のドライブレコーダ。
【請求項６】
前記制御部は、前記位置情報に基づき、前記車両が移動したと判断した場合に、前記記録処理を開始することを特徴とする請求項１乃至５のいずれかに記載のドライブレコーダ。
【請求項７】
前記表示部は、動作状態を外部に通知するインジケータを有し、
前記制御部は、前記インジケータによる前記動作状態の通知を実行しないように前記表示部を制御することを特徴とする請求項１乃至６のいずれかに記載のドライブレコーダ。
【発明の詳細な説明】
【技術分野】
【０００１】
本発明は、ドライブレコーダに関し、特に、記録処理が停止した後に、自動的に記録処理を開始するドライブレコーダに関する。
【背景技術】
【０００２】
近年、車両に搭載され、事故や異常が生じた際の映像を記録するドライブレコーダが急速に普及している。
【０００３】
ドライブレコーダは、例えば、車両の周囲を撮影するためのカメラと、衝撃や異常を検出する加速度センサと、カメラで撮影された映像に基づく映像データを記録する記録媒体とを備え、カメラによって走行中の周囲の映像を常に記録する。そして、加速度センサからの出力に基づき、事故や急ブレーキ・急ハンドル等の異常を検出すると、その時点から前後の所定時間の映像を映像データとして記録媒体に保存する（例えば、特許文献１）。
【０００４】
また、最近では、モニタ等の表示部が設けられ、筐体等に予め設けられた操作部をユーザが操作し、記録媒体に記録された映像データを指定することにより、記録媒体中の映像データを車内で再生可能とされたドライブレコーダが提案され、製品化されている。
【先行技術文献】
【特許文献】
【０００５】
【特許文献１】特開２０１０−１２８６０６号公報
【発明の概要】
【発明が解決しようとする課題】
【０００６】
ところで、このようなドライブレコーダにおいて、映像データの再生中等、手動でドライブレコーダを操作した際には、映像の記録処理が中断される。そのため、映像データの再生処理等が終了した場合には、映像の記録処理を再開させるために、ユーザが手動で操作部を操作して記録処理の開始を設定する必要がある。
【０００７】
しかし、ユーザは、通常、ドライブレコーダによる記録処理が常に行われていると認識するため、再生処理後の記録処理の設定を行わず、車両の走行中における映像の記録を忘れてしまう虞があるという問題があった。
【０００８】
そこで、本発明は、上記従来の技術における問題点に鑑みてなされたものであって、ユーザが記録処理の設定を意識することなく、自動的に記録処理を開始することが可能なドライブレコーダを提供することを目的とする。
【課題を解決するための手段】
【０００９】
上記目的を達成するため、本発明は、車両の周囲を撮影し、得られる映像データを出力する撮影部と、前記車両の加速度を検出し、該検出された加速度を示す加速度情報を出力する加速度センサと、前記車両の位置を示す位置情報を取得する位置情報取得部と、前記撮影により得られる映像データを記録する記録部と、前記記録部に記録された映像データを表示する表示部と、ユーザによって操作され、各種設定を指示する操作部と、前記撮影部から出力された前記映像データを前記記録部に記録する記録処理を実行すると共に、前記記録部に記録された映像データを前記表示部で再生する再生処理を実行する制御部とを備え、前記加速度情報に基づき前記車両の異常を検出した場合に、該検出された時点の映像データ及び直前の映像データを消去不可能なように保存するドライブレコーダであって、前記制御部は、前記記録処理を停止させる動作が行われた場合に前記記録処理を停止させ、前記記録処理を停止させる動作が終了した場合に前記記録処理を開始することを特徴とする。
【００１０】
そして、本発明によれば、記録処理を停止させる動作が終了した場合に、記録処理を自動的に開始するため、ユーザが記録処理の設定を意識することなく、映像を記録することができる。
【００１１】
上記ドライブレコーダにおいて、前記制御部は、時間をカウントするカウンタを有し、前記記録処理を停止させる動作が行われた場合に、前記カウンタによるカウントを開始し、前記カウンタの値が予め設定された所定値に達した場合に、前記記録処理を開始することができる。これにより、装置に対する操作が完全に終了したと判断した場合に、停止していた記録処理を再開することができる。
【００１２】
上記ドライブレコーダにおいて、前記記録処理を停止させる動作は、前記再生処理の実行であり、前記制御部は、前記再生処理が終了した場合に、前記カウンタによるカウントを開始することができる。
【００１３】
上記ドライブレコーダにおいて、前記記録処理を停止させる動作は、前記操作部に対するユーザの操作であり、前記制御部は、前記操作部が操作された場合に、前記カウンタによるカウントを開始することができる。
【００１４】
上記ドライブレコーダにおいて、前記制御部は、前記カウンタの値が前記所定値に達する前に前記操作部が操作された場合に、前記カウンタのカウントをリセットすることができる。これにより、装置に対する操作が完全に終了したと判断する前に、記録処理を実行することを防ぐことができ、不要な記録処理の実行を抑制することができる。
【００１５】
上記ドライブレコーダにおいて、前記制御部は、前記位置情報に基づき、前記車両が移動したと判断した場合に、前記記録処理を開始することができる。これにより、車両が走行中であると判断した場合に、停止していた記録処理を再開することができる。
【００１６】
上記ドライブレコーダにおいて、前記表示部は、動作状態を外部に通知するインジケータを有し、前記制御部は、前記インジケータによる前記動作状態の通知を実行しないように前記表示部を制御することができる。これにより、不審者が車両に侵入した場合等に、不審者に気づかれることなく、車内を監視することができる。
【発明の効果】
【００１７】
以上のように、本発明によれば、ユーザが記録処理の設定を意識することなく、自動的に記録処理を開始することが可能になる。
【図面の簡単な説明】
【００１８】
【図１】本発明に係るドライブレコーダの一実施の形態を示すブロック図である。
【図２】セキュリティモード機能について説明するためのフローチャートである。
【図３】機器異常予防ガイダンス機能について説明するためのフローチャートである。
【図４】記録処理の流れについて説明するためのフローチャートである。
【発明を実施するための形態】
【００１９】
次に、本発明を実施するための形態について、図面を参照しながら詳細に説明する。
【００２０】
図１は、本発明に係るドライブレコーダの一実施の形態を示し、このドライブレコーダ１は、カメラ１１、マイクロフォン（以下、「マイク」とする）１２、加速度センサ１３、ＧＰＳ（Global Positioning SyStem）モジュール１４、操作部１５、表示部１６、音声出力部１７、記録部１８及び入出力インタフェース（以下、「入出力Ｉ／Ｆ」とする）１９を備える。
【００２１】
カメラ１１は、例えば、ＣＣＤ（Charge Coupled Devices）やＣＯＭＳ（Complementary Metal Oxide Semiconductor）イメージセンサ等を撮像素子として用い、撮像素子に受光された光に基づく撮像信号に対して各種信号処理を施して映像信号を生成し、後述する制御部１０に供給する。
【００２２】
マイク１２は、周囲の音声を収音して音声信号を生成し、制御部１０に供給する。
【００２３】
加速度センサ１３は、例えば、３軸（Ｘ、Ｙ、Ｚ）方向の加速度や傾き、衝撃等を検出し、検出した加速度を示す加速度情報を生成し、制御部１０に供給する。
【００２４】
ＧＰＳモジュール１４は、ＧＰＳを構成する複数の人工衛星からの電波を図示しないアンテナで受信し、受信した電波に基づき、現在位置の座標（経度及び緯度）を示す位置情報を生成し、制御部１０に供給する。
【００２５】
操作部１５は、例えば、ドライブレコーダ１の筐体等に設けられた各種キーであり、ユーザの操作に応じた操作信号を生成し、制御部１０に供給する。
【００２６】
表示部１６は、例えば、映像信号を表示するためのモニタと、ドライブレコーダ１の動作状態等を示すためのインジケータとからなる。モニタは、例えば、ＬＣＤ（Liquid Crystal Display）や有機ＥＬ（Electro Luminescence）ディスプレイであり、カメラ１１から制御部１０に対して供給された映像信号を表示する。インジケータは、例えばＬＥＤ（Light Emitting Diode）で構成され、ＬＥＤを点灯／点滅させたり、ＬＥＤの色を変化させたりすることによって、ドライブレコーダ１が起動中であるか否かや、映像の記録中であるか否か等の、ドライブレコーダ１の動作状態を表示する。
【００２７】
音声出力部１７は、例えばスピーカであり、マイク１２から制御部１０に対して供給された音声信号を出力する。また、音声出力部１７は、例えば、ドライブレコーダ１を起動させた際に、起動したことをユーザに知らせるための通知音等を出力する。
【００２８】
記録部１８は、記録媒体を備え、制御部１０の制御に基づき、カメラ１１から制御部１０に対して供給された映像信号を映像データとして記録すると共に、マイク１２から制御部１０に対して供給された音声信号を音声データとして記録する。また、記録部１８は、制御部１０の制御に基づき、記録媒体に記録された映像データ及び音声データを読み出し、制御部１０に供給する。さらに、記録部１８は、事故や異常を検出した際の位置情報を記録する。
【００２９】
記録媒体としては、例えば、ＳＤメモリーカードを用いることができる。尚、記録媒体は、この例に限られず、例えば、ＨＤＤ（Hard Disc Drive）やＳＳＤ（Solid State Drive）等を用いてもよい。
【００３０】
入出力Ｉ／Ｆ１９は、外部の機器との間で各種データのやりとりを行うためのインタフェースであり、例えば、外部モニタ出力端子や、ＵＳＢ（Universal Serial Bus）入出力端子等を備える。
【００３１】
制御部１０は、ドライブレコーダ１全体の動作を制御し、例えば、カメラ１１及びマイク１２により得られる映像信号及び音声信号を、映像データ及び音声データとして記録部１８の記録媒体に記録する記録処理や、記録部１８の記録媒体に記録された映像データ及び音声データを読み出し、表示部１６及び音声出力部１７を用いて映像及び音声を再生する再生処理を行う。
【００３２】
また、制御部１０は、加速度センサ１３から供給される加速度情報に基づき、事故や異常が発生したか否かを判断すると共に、ＧＰＳモジュール１４から供給される位置情報に基づき、車両が走行中であるか否かを判断する。そして、事故や異常が発生したと判断した場合、制御部１０は、事故や異常が発生した時点の映像データ及び音声データと、その直前の映像データ及び音声データとを保存し、記録部１８の記憶媒体から消去できないようにする。
【００３３】
制御部１０は、カウンタ２０を備え、記録処理が停止した後の時間をカウントする。カウンタ２０には、閾値が予め設定され、カウンタ２０の値がこの閾値に達した場合に、制御部１０は、再生処理やユーザによる操作等の記録処理を停止させる動作が終了したと判断し、記録処理を再開する。
【００３４】
尚、制御部１０には、車両のアクセサリー電源（以下、「ＡＣＣ」とする）が接続され、ＡＣＣが供給された場合に、車両の電源が投入されたと判断する。
【００３５】
さらに、制御部１０は、図示しない記憶領域を備え、この記憶領域には、例えば、ドライブレコーダ１の異常等が発生した場合に、ユーザに対して異常であることを通知するための音声ガイダンスの音声データ等が予め記憶される。
【００３６】
ここで、本実施の形態によるドライブレコーダ１が備える機能について説明する。ドライブレコーダ１は、従来のドライブレコーダにおける映像の記録機能に加え、オートレコーディング機能、セキュリティモード機能、機器異常予防ガイダンス機能、及び異常地点マーキング機能を備える。
【００３７】
オートレコーディング機能は、記録処理中にユーザが再生処理を実行した場合や、各種設定を行うための操作を手動で行った場合に、映像及び音声の記録処理が停止するが、記録処理の停止後、所定のタイミングで自動的に記録処理を開始する機能である。このように、記録処理が停止した後に、自動的に記録処理を開始することにより、ユーザが記録処理の設定を意識することなく、車両の周囲の映像及び音声を記録することができる。
【００３８】
セキュリティモード機能は、ドライブレコーダ１を起動させた際のインジケータ点灯／点滅や起動音の出力、起動中のインジケータ点灯／点滅といった、ユーザに対してドライブレコーダ１の動作状態を通知する動作を行わないようにする機能である。ユーザの操作により、セキュリティモード機能が「ＯＮ」とされた場合、制御部１０は、起動時及び起動中にドライブレコーダ１の動作状態を通知するための、表示部１６及び音声出力部１７に対する信号の供給を行わないようにする。
【００３９】
ここで、カメラ１１は、通常、車両の前方を撮影するように配置されるが、この機能を用いる場合には、例えば、車内を撮影できるようにカメラ１１を車内側に向けて配置する。また、外部にバッテリー等の電源供給手段を設け、この電源供給手段からドライブレコーダ１を動作させるために必要な電力をドライブレコーダ１に対して供給することにより、駐車時等の車両の電源がＯＦＦの状態でも、ドライブレコーダ１を継続的に動作させ、車内の状態を記録することができる。これにより、外部からはドライブレコーダ１が動作していることが判断できないため、例えば、駐車時に不審者が車内に侵入した際でも、車内を監視することができる。
【００４０】
機器異常予防ガイダンス機能は、ＳＤメモリーカード等の記録媒体の未装着等、ドライブレコーダ１に異常が生じた場合に、音声ガイダンスによりユーザに対して警告を行う機能である。これにより、記録媒体が未装着の状態で記録処理が実行できないことをユーザに通知することができる。
【００４１】
異常地点マーキング機能は、事故や異常が発生した地点を記憶し、外部に接続される機器に表示される地図上に当該地点をマーキングする機能である。例えば、地図を表示可能なＰＣ等の端末を、入出力Ｉ／Ｆ１９を介してドライブレコーダ１に接続し、事故や異常が発生した際の位置情報を端末に送信することで、事故や異常が発生した地点を明確に表示することができる。
【００４２】
次に、上記構成を有するドライブレコーダ１の動作について、図２〜図４に示すフローチャートを参照して説明する。
【００４３】
まず、図２に示すフローチャートを参照して、セキュリティモード設定時の処理の流れについて説明する。
【００４４】
ステップＳ１において、ドライブレコーダ１が搭載された車両からＡＣＣが供給されると、ドライブレコーダ１が起動し（ステップＳ１）、制御部１０により、セキュリティモードの設定が「ＯＮ」であるか否かが判断される（ステップＳ２）。セキュリティモードの設定が「ＯＮ」であると判断された場合（ステップＳ２；Ｙｅｓ）、制御部１０は、表示部１６及び音声出力部１７に対して映像信号及び音声信号を出力しないように設定し（ステップＳ３）、一連の処理が終了する。
【００４５】
一方、セキュリティモードの設定が「ＯＦＦ」であると判断された場合（ステップＳ２；Ｎｏ）には、一連の処理が終了する。
【００４６】
尚、上述した処理は、ドライブレコーダ１の起動時に実行されるため、起動中にセキュリティモードの設定が変更された場合であっても、起動時の設定が保持される。
【００４７】
次に、図３に示すフローチャートを参照して、機器異常予防ガイダンス機能の処理の流れについて説明する。
【００４８】
ステップＳ１１において、制御部１０は、記録部１８や加速度センサ１３の状態等を確認し、ドライブレコーダ１に異常があるか否かを判断する。ドライブレコーダ１に異常がないと判断された場合（ステップＳ１１；Ｎｏ）には、処理がステップＳ１１に戻り、制御部１０は、例えば、予め設定された所定時間毎に装置の状態を確認する。
【００４９】
一方、ドライブレコーダ１に異常があると判断された場合（ステップＳ１１；Ｙｅｓ）、制御部１０は、記憶領域に記憶された、記録媒体が挿入されていない等のドライブレコーダ１に異常があることを示す音声ガイダンスの音声データを音声出力部１７に供給する。そして、音声出力部１７は、制御部１０から供給された音声データを出力する（ステップＳ１２）。そして、上述した処理が、予め設定された所定時間毎に巡回的に実行される。
【００５０】
尚、加速度センサ１３等、使用中に異常が発生する可能性が低い部分の状態確認については、例えば、ドライブレコーダ１の起動時のみに確認するようにしてもよい。これにより、不要な確認処理を抑制することができる。
【００５１】
次に、図４に示すフローチャートを参照して、映像及び音声を記録する記録処理の流れについて説明する。
【００５２】
ステップＳ２１において、記録処理が開始されると、制御部１０は、カメラ１１及びマイク１２から供給された映像信号及び音声信号を、映像データ及び音声データとして記録部１８に供給する。記録部１８は、制御部１０から供給された映像データ及び音声データを記録媒体に記録する。尚、このとき、制御部１０は、映像データ及び音声データを表示部１６及び音声出力部１７に供給し、表示部１６及び音声出力部１７から映像及び音声を出力してもよい。
【００５３】
次に、ステップＳ２２において、実行中の記録処理を停止させる動作が行われたか否かが判断される。ここで、記録処理を停止させる動作とは、例えば、記録部１８の記録媒体に記録された映像データ及び音声データを再生する処理や、ユーザの操作部１５に対する操作等を示す。
【００５４】
記録処理を停止させる動作が行われていないと判断された場合（ステップＳ２２；Ｎｏ）、制御部１０は、記録処理を継続する。そして、加速度センサ１３から供給される加速度情報に基づき、事故や異常があるか否かが判断される（ステップＳ２３）。
【００５５】
ここで、加速度センサ１３から供給された加速度情報が示す値が、予め設定された閾値を超えた場合に、事故や異常があったと判断され（ステップＳ２３；Ｙｅｓ）、制御部１０は、事故や異常を検出した時点で記録部１８の記録媒体に記録されたファイルと、その直前に記録されたファイルとを保存すると共に、検出した時点でＧＰＳモジュール１４から供給された位置情報を、事故や異常を検出した時点のファイルと関連付けて記録媒体に保存する（ステップＳ２４、Ｓ２５）。そして、処理がステップＳ２２に戻る。また、事故や異常がないと判断された場合（ステップＳ２３；Ｎｏ）には、処理がステップＳ２２に戻る。
【００５６】
一方、ステップＳ２２において、記録処理を停止させる動作が行われたと判断された場合（ステップＳ２２；Ｙｅｓ）、制御部１０は、実行中の記録処理を停止する（ステップＳ２６）。そして、記録処理を停止させる動作が再生処理を行う動作であるか否かが判断される（ステップＳ２７）。
【００５７】
再生処理を行う動作であると判断された場合（ステップＳ２７；Ｙｅｓ）、制御部１０は、記録部１８の記録媒体から指定されたファイルを読み出し、映像データ及び音声データを表示部１６及び音声出力部１７に供給し、表示部１６及び音声出力部１７から映像及び音声を出力する（ステップＳ２８）。
【００５８】
次に、再生処理が終了したか否かが判断される（ステップＳ２９）。再生処理が終了したと判断された場合（ステップＳ２９；Ｙｅｓ）には、処理がステップＳ３０に移行し、再生処理が終了していないと判断された場合（ステップＳ２９；Ｎｏ）には、処理がステップＳ２８に戻り、再生処理が継続される。
【００５９】
一方、ステップＳ２７において、記録処理を停止させる動作が再生処理を行う動作ではないと判断された場合（ステップＳ２７；Ｎｏ）、処理がステップＳ３０に移行する。
【００６０】
ステップＳ３０では、制御部１０に設けられたカウンタ２０により、カウントが開始される。
そして、カウンタ２０が示す値が予め設定された閾値に達したか否かが判断される（ステップＳ３１）。
【００６１】
カウンタ２０の値が閾値に達したと判断された場合（ステップＳ３１；Ｙｅｓ）、制御部１０は、記録処理を再開し、カメラ１１及びマイク１２から供給された映像信号及び音声信号を映像データ及び音声データとして記録部１８の記録媒体に記録する（ステップＳ３２）。
【００６２】
一方、カウンタ２０の値が閾値に達していないと判断された場合（ステップＳ３１；Ｎｏ）、ユーザによる操作部１５の操作が行われたか否かが判断される（ステップＳ３３）。操作部１５からの操作信号に基づき、ユーザの操作が行われたと判断された場合（ステップＳ３３；Ｙｅｓ）、制御部１０は、カウンタ２０のカウントをリセットし（ステップＳ３４）、処理がステップＳ３０に戻る。
【００６３】
ステップＳ３３において、ユーザの操作が行われていないと判断された場合（ステップＳ３３；Ｎｏ）には、処理がステップＳ３５に移行する。
【００６４】
ステップＳ３５において、制御部１０は、ＧＰＳモジュール１４から供給された現在の位置情報と、直前の位置情報とを比較し、位置情報が示す緯度及び経度の変化に基づき、車両が移動したか否かを判断する。ここで、緯度及び経度に変化があった場合には、車両が走行中であると判断する。
【００６５】
車両が移動したと判断された場合（ステップＳ３５；Ｙｅｓ）には、処理がステップＳ３２に移行し、記録処理が再開される。一方、車両が移動していないと判断された場合（ステップＳ３５；Ｎｏ）には、処理がステップＳ３１に戻る。
【００６６】
以上のように、本実施の形態によれば、記録処理が停止した後、自動的に記録処理を再開するため、ユーザが記録処理の設定を意識することなく、車両の周囲の映像及び音声を記録することが可能になる。
【００６７】
また、記録処理を停止させる動作が終了した後、カウンタの値が所定値に達する前に、操作部１５に対する操作が行われた場合には、記録処理を開始せず、装置に対する操作が完全に終了したと判断するまでは、記録処理を行わないため、不要な記録処理の実行を抑制することができる。
【００６８】
以上、本発明の実施の形態について説明したが、本発明は、上述した本発明の実施の形態に限定されるものではなく、本発明の要旨を逸脱しない範囲内で様々な変形や応用が可能である。例えば、上述の例では、事故や異常を検出した場合に、その時点におけるファイルと直前のファイルとを保存するように説明したが、これに限られず、例えば、事故や異常を検出した時点の直後のファイルをさらに保存してもよい。
【００６９】
また、セキュリティモード機能を用いる場合には、例えば、加速度センサ１３に加えて動体を検出するための動体センサを設け、車両やドライブレコーダ１に対する衝撃を検出して映像及び音声を記録すると共に、車内を移動する人物等を検出して映像及び音声を記録してもよい。
【００７０】
さらに、例えば、表示部１６をタッチパネルディスプレイで構成し、操作部１５を表示部１６のタッチパネルとしてもよいし、ドライブレコーダ１に対して赤外線受光部を設け、赤外線によって通信可能なリモートコントローラを操作部１５として用いてもよい。
【符号の説明】
【００７１】
１  ドライブレコーダ
１０  制御部
１１  カメラ
１２  マイクロフォン
１３  加速度センサ
１４  ＧＰＳモジュール
１５  操作部
１６  表示部
１７  音声出力部
１８  記録部
１９  入出力インタフェース
２０  カウンタ
【図１】
2014102800.tif 000003
【図２】
2014102800.tif 000004
【図３】
2014102800.tif 000005
【図４】
2014102800.tif 000006